(57)【要約】【課題】意匠性と耐久強度に富む内装壁の出隅形成用木質下地材を提供する。【解決手段】一定な帯幅（Ｗ）の針葉樹合板（Ｐ）とその表面に接着されたライナー紙（１０）とから成り、上記合板（Ｐ）の長手方向に沿って延在する折曲げ溝（２０）を、その合板（Ｐ）の裏側から表側のライナー紙（１０）を残す深さのほぼ直角なＶ字形に切り欠くと共に、上記合板（Ｐ）をその折曲げ溝（２０）が閉合密着する角張った状態に折り曲げ固定した。【選択図】図２
2014208959.tif 000002
【特許請求の範囲】
【請求項１】
一定な帯幅の針葉樹合板とその表面に接着されたライナー紙とから成り、上記合板の長手方向に沿って延在する折曲げ溝を、その合板の裏側から表側のライナー紙を残す深さのほぼ直角なＶ字形に切り欠くと共に、
上記合板をその折曲げ溝が閉合密着する等辺山形又は不等辺山形に折り曲げ固定したことを特徴とする内装壁の出隅形成用木質下地材。
【請求項２】
等辺山形又は不等辺山形の左右両端に、ほぼ対称な斜めの面取り部を列設したことを特徴とする請求項１記載の内装壁の出隅形成用木質下地材。
【請求項３】
等辺山形又は不等辺山形の角部に、その合板の裏側からほぼ直角なＶ字形の柱逃し凹溝を切り欠いたことを特徴とする請求項１記載の内装壁の出隅形成用木質下地材。
【請求項４】
等辺山形又は不等辺山形の角部に一定幅の面取り部を造形するため、ほぼ直角なＶ字形折曲げ溝の溝底部をその面取り部の一定幅と同じ開口幅の倒立Ｍ字形に切り欠いて、
針葉樹合板における表単板の厚みと同等以下の高さ寸法を備えた倒立Ｖ字形の面取り保形リブを、上記折曲げ溝の溝底部へライナー紙の裏打ち状態に残存させたことを特徴とする請求項１記載の内装壁の出隅形成用木質下地材。
【請求項５】
等辺山形又は不等辺山形の角部に一定幅の面取り部を造形するため、ほぼ直角なＶ字形折曲げ溝の溝底部をその面取り部の一定幅と同じ開口幅の擬似倒立Ｍ字形に切り欠いて、
針葉樹合板における表単板の厚みと同等以下の高さ寸法を備えた倒立Ｗ字形の面取り保形リブを、上記折曲げ溝の溝底部へライナー紙の裏打ち状態に残存させたことを特徴とする請求項１記載の内装壁の出隅形成用木質下地材。
【請求項６】
表面にライナー紙が接着された一定な帯幅の針葉樹合板を用意して、その合板の左右両端にほぼ対称な斜めの面取り部を切削加工する一方、
同じく合板の長手方向に沿って折曲げ溝を、その合板の裏側から表側の上記ライナー紙を残す深さのほぼ直角なＶ字形に切削加工すると共に、そのＶ字形折曲げ溝の内部に接着剤を充填して、
上記合板をその折曲げ溝が閉合密着する等辺山形又は不等辺山形に折り曲げ立体化することを特徴とする内装壁における出隅形成用木質下地材の製造法。
【請求項７】
表面にライナー紙が接着された一定な帯幅の針葉樹合板を用意して、その合板の左右両端にほぼ対称な斜めの面取り部を切削加工する一方、
同じく合板の長手方向に沿って一定な深さと開口幅の柱逃し凹溝を、その合板の裏側から切削加工し、
その後、上記柱逃し凹溝の開口幅をほぼ二等分する長手中心線上に沿って、その柱逃し凹溝の開口幅よりも狭い一定な開口幅の折曲げ溝を、同じく合板の裏側から表側のライナー紙まで到達しない深さのほぼ直角なＶ字形に切削加工すると共に、そのＶ字形折曲げ溝の内部に接着剤を充填して、
最後に、上記合板をその折曲げ溝が閉合密着する等辺山形又は不等辺山形に折り曲げ立体化して、その角部の裏側に閉合密着しないほぼ直角なＶ字形の柱逃し凹溝を形成することを特徴とする内装壁における出隅形成用木質下地材の製造法。
【請求項８】
合板の折曲げ溝をほぼ直角なＶ字形に一旦切削加工した後、その折曲げ溝の溝底部を合板の裏側から一定な開口幅の倒立Ｍ字形に切削加工することにより、ライナー紙の裏打ち状態に残る倒立Ｖ字形の面取り保形リブを列設して、
上記合板をその折曲げ溝が閉合密着するように折り曲げ立体化した最後に、その等辺山形又は不等辺山形の角部に上記開口幅と同じ一定幅の面取り部を形成することを特徴とする請求項６又は７記載の内装壁における出隅形成用木質下地材の製造法。
【請求項９】
合板の折曲げ溝をほぼ直角なＶ字形に一旦切削加工した後、その折曲げ溝の溝底部を合板の裏側から一定な開口幅の擬似倒立Ｍ字形に切削加工することにより、ライナー紙の裏打ち状態に残る倒立Ｗ字形の面取り保形リブを列設して、
上記合板をその折曲げ溝が閉合密着するように折り曲げ立体化した最後に、その等辺山形又は不等辺山形の角部に上記開口幅と同じ一定幅の面取り部を形成することを特徴とする請求項６又は７記載の内装壁における出隅形成用木質下地材の製造法。
【請求項１０】
合板の折曲げ溝をほぼ左右対称な一対として平行に切削加工すると共に、その両Ｖ字形折曲げ溝の内部に接着剤を充填して、
上記合板をその両折曲げ溝が閉合密着する全体的なＵ字形に折り曲げ立体化した後、
その合板の長手中心線上に沿って表側から倒立Ｖ字形の面取り部を切削加工すると一挙同時に、左右対称な一対の等辺山形又は不等辺山形に分割加工することを特徴とする請求項６記載の内装壁における出隅形成用木質下地材の製造法。
【請求項１１】
合板の長手中心線上に沿って表側から倒立Ｖ字形の面取り部と、その後に裏側から左右対称な一対の折曲げ溝とを切削加工すると共に、その両Ｖ字形折曲げ溝の内部に接着剤を充填して、
上記合板をその両折曲げ溝が閉合密着する全体的なＵ字形に折り曲げ立体化した後、
その合板の長手中心線上に沿って切断加工することにより、左右対称な一対の等辺山形又は不等辺山形に分割することを特徴とする請求項６記載の内装壁における出隅形成用木質下地材の製造法。
【請求項１２】
合板の柱逃し凹溝と折曲げ溝とをほぼ左右対称な一対づつとして、その合板の裏側から順次切削加工すると共に、その両Ｖ字形折曲げ溝の内部には接着剤を充填して、
上記合板をその両折曲げ溝だけが閉合密着する全体的なＵ字形に折り曲げ立体化した後、
その合板の長手中心線上に沿って表側から倒立Ｖ字形の面取り部を切削加工すると一挙同時に、左右対称な一対の等辺山形又は不等辺山形に分割加工することを特徴とする請求項７記載の内装壁における出隅形成用木質下地材の製造法。
【請求項１３】
針葉樹合板の表面へライナー紙を接着する前の予備工程として、その合板の表面を平滑化する切削・研磨と、目止め塗料の塗装並びにその目止め塗膜に対するライナー紙貼り付け用接着剤の塗布とを順次行うことを特徴とする請求項６、７、８、９、１０、１１又は１２記載の内装壁における出隅形成用木質下地材の製造法。
【発明の詳細な説明】
【技術分野】
【０００１】
本発明は建物における内装壁の出隅形成用木質下地材と、その製造法に関する。
【背景技術】
【０００２】
従来、建物のクロス仕上げになる内装壁の出隅を形成する方法としては、図２７（イ）（ロ）のような石膏ボード（１）又は合板（２）から成る一対の下地ボード（Ｂ１）（Ｂ１）（Ｂ２）（Ｂ２）を用意し、その先端部同士をほぼ直角に突き合わせた交叉状態のもとで、図外の壁面へ釘などにより固定していた。
【０００３】
そして、その角部の強度を確保したり、両下地ボード（Ｂ１）（Ｂ１）（Ｂ２）（Ｂ２）の表面同士を均一に揃えたりする場合には、その石膏ボード（１）から成る下地ボード（Ｂ１）（Ｂ１）同士の角部へ、図２７（ハ）のような合板の補強材（３）を介挿設置したり、その角部へ図２７（ニ）のような網状ガラス繊維のコーナーテープ（４）を外部から当てがって、図外のパテを刷り込んだり、他方合板（２）から成る下地ボード（Ｂ２）（Ｂ２）同士の角部へ、図２７（ホ）のような無垢の柱状補強材（５）を介挿設置したりしている通例である。
【先行技術文献】
【特許文献】
【０００４】
【特許文献１】特開２０１１─２２６２４５号公報
【発明の概要】
【発明が解決しようとする課題】
【０００５】
ところが、図２７（イ）〜（ホ）のように形成された内装壁の出隅（角部）は、少なくとも一対（２ピース）の下地ボード（Ｂ１）（Ｂ１）（Ｂ２）（Ｂ２）を使用しているため、補強材（３）（５）やコーナーテープ（４）を追加しなければ、耐久強度を確保することができない。
【０００６】
そして、その施工法としても、図２７（イ）のそれでは下地ボード（Ｂ１）（Ｂ１）同士の突き合わせ部を、現場において面取りすると共に、パテ補修する必要がある。他方、図２７（ロ）の施工法ではその下地ボード（Ｂ２）（Ｂ２）同士の突き合わせ部を面取りする必要はないが、パテ補修する作業やヤニ止めのシーラーを塗布する作業は必要であり、その煩らわしいことに変りはない。
【０００７】
又、図２７（ハ）の施工法ではその石膏ボード（１）の下地ボード（Ｂ１）（Ｂ１）と、合板の角部補強材（３）との突き合わせ部を面取りすると共に、パテ補修やヤニ止めシーラーの塗布などを行う必要があり、図２７（ニ）の施工法でもパテ補修は不可欠となる。パテ補修やヤニ止めシーラーの塗布は現場での湿式作業として、その作業負担が大きいにも拘らず、角部（出隅）を美形に仕上げることが困難であり、バラツキを生じやすい。
【０００８】
更に、図２７（ホ）の施工法でも合板（２）の下地ボード（Ｂ２）（Ｂ２）と、角部補強材（５）との突き合わせ部は、パテ補修とヤニ止めシーラーの塗布を行わなければならず、その現場での作業上多大の労力と時間を要する。
【０００９】
しかも、下地ボード（Ｂ２）（Ｂ２）が合板（２）から成るものでは、その互いに別個な合板であるため、施工後の使用中において、例えばエヤコンの温度変化を受け、その変形する度合いの相違に基き、その壁面全体に貼られたクロスの割れてしまうおそれがある。
【００１０】
要するに、上記現場での煩らわしく、しかも仕上がり状態の不均一になりやすい施工作業を省略できる既製品の出隅形成用木質下地材は未だなく、著しい不便を余儀なくされている現状である。
【課題を解決するための手段】
【００１１】
本発明はこのような課題の改良を目的としており、その目的を達成するために、請求項１では内装壁の出隅形成用木質下地材（製品）として、一定な帯幅の針葉樹合板とその表面に接着されたライナー紙とから成り、上記合板の長手方向に沿って延在する折曲げ溝を、その合板の裏側から表側のライナー紙を残す深さのほぼ直角なＶ字形に切り欠くと共に、
【００１２】
上記合板をその折曲げ溝が閉合密着する等辺山形又は不等辺山形に折り曲げ固定したことを特徴とする。
【００１３】
請求項２では等辺山形又は不等辺山形の左右両端に、ほぼ対称な斜めの面取り部を列設したことを特徴とする。
【００１４】
請求項３では等辺山形又は不等辺山形の角部に、その合板の裏側からほぼ直角なＶ字形の柱逃し凹溝を切り欠いたことを特徴とする。
【００１５】
請求項４では等辺山形又は不等辺山形の角部に一定幅の面取り部を造形するため、ほぼ直角なＶ字形折曲げ溝の溝底部をその面取り部の一定幅と同じ開口幅の倒立Ｍ字形に切り欠いて、
【００１６】
針葉樹合板における表単板の厚みと同等以下の高さ寸法を備えた倒立Ｖ字形の面取り保形リブを、上記折曲げ溝の溝底部へライナー紙の裏打ち状態に残存させたことを特徴とする。
【００１７】
請求項５では等辺山形又は不等辺山形の角部に一定幅の面取り部を造形するため、ほぼ直角なＶ字形折曲げ溝の溝底部をその面取り部の一定幅と同じ開口幅の擬似倒立Ｍ字形に切り欠いて、
【００１８】
針葉樹合板における表単板の厚みと同等以下の高さ寸法を備えた倒立Ｗ字形の面取り保形リブを、上記折曲げ溝の溝底部へライナー紙の裏打ち状態に残存させたことを特徴とする。
【００１９】
他方、請求項６では上記出隅形成用木質下地材の製造法として、表面にライナー紙が接着された一定な帯幅の針葉樹合板を用意して、その合板の左右両端にほぼ対称な斜めの面取り部を切削加工する一方、
【００２０】
同じく合板の長手方向に沿って折曲げ溝を、その合板の裏側から表側の上記ライナー紙を残す深さのほぼ直角なＶ字形に切削加工すると共に、そのＶ字形折曲げ溝の内部に接着剤を充填して、
【００２１】
上記合板をその折曲げ溝が閉合密着する等辺山形又は不等辺山形に折り曲げ立体化することを特徴とする。
【００２２】
請求項７では表面にライナー紙が接着された一定な帯幅の針葉樹合板を用意して、その合板の左右両端にほぼ対称な斜めの面取り部を切削加工する一方、
【００２３】
同じく合板の長手方向に沿って一定な深さと開口幅の柱逃し凹溝を、その合板の裏側から切削加工し、
【００２４】
その後、上記柱逃し凹溝の開口幅をほぼ二等分する長手中心線上に沿って、その柱逃し凹溝の開口幅よりも狭い一定な開口幅の折曲げ溝を、同じく合板の裏側から表側のライナー紙まで到達しない深さのほぼ直角なＶ字形に切削加工すると共に、そのＶ字形折曲げ溝の内部に接着剤を充填して、
【００２５】
最後に、上記合板をその折曲げ溝が閉合密着する等辺山形又は不等辺山形に折り曲げ立体化して、その角部の裏側に閉合密着しないほぼ直角なＶ字形の柱逃し凹溝を形成することを特徴とする。
【００２６】
請求項８では合板の折曲げ溝をほぼ直角なＶ字形に一旦切削加工した後、その折曲げ溝の溝底部を合板の裏側から一定な開口幅の倒立Ｍ字形に切削加工することにより、ライナー紙の裏打ち状態に残る倒立Ｖ字形の面取り保形リブを列設して、
【００２７】
上記合板をその折曲げ溝が閉合密着するように折り曲げ立体化した最後に、その等辺山形又は不等辺山形の角部に上記開口幅と同じ一定幅の面取り部を形成することを特徴とする。
【００２８】
請求項９では合板の折曲げ溝をほぼ直角なＶ字形に一旦切削加工した後、その折曲げ溝の溝底部を合板の裏側から一定な開口幅の擬似倒立Ｍ字形に切削加工することにより、ライナー紙の裏打ち状態に残る倒立Ｗ字形の面取り保形リブを列設して、
【００２９】
上記合板をその折曲げ溝が閉合密着するように折り曲げ立体化した最後に、その等辺山形又は不等辺山形の角部に上記開口幅と同じ一定幅の面取り部を形成することを特徴とする。
【００３０】
請求項１０では合板の折曲げ溝をほぼ左右対称な一対として平行に切削加工すると共に、その両Ｖ字形折曲げ溝の内部に接着剤を充填して、
【００３１】
上記合板をその両折曲げ溝が閉合密着する全体的なＵ字形に折り曲げ立体化した後、
【００３２】
その合板の長手中心線上に沿って表側から倒立Ｖ字形の面取り部を切削加工すると一挙同時に、左右対称な一対の等辺山形又は不等辺山形に分割加工することを特徴とする。
【００３３】
請求項１１では合板の長手中心線上に沿って表側から倒立Ｖ字形の面取り部と、その後に裏側から左右対称な一対の折曲げ溝とを切削加工すると共に、その両Ｖ字形折曲げ溝の内部に接着剤を充填して、
【００３４】
上記合板をその両折曲げ溝が閉合密着する全体的なＵ字形に折り曲げ立体化した後、
【００３５】
その合板の長手中心線上に沿って切断加工することにより、左右対称な一対の等辺山形又は不等辺山形に分割することを特徴とする。
【００３６】
請求項１２では合板の柱逃し凹溝と折曲げ溝とをほぼ左右対称な一対づつとして、その合板の裏側から順次切削加工すると共に、その両Ｖ字形折曲げ溝の内部には接着剤を充填して、
【００３７】
上記合板をその両折曲げ溝だけが閉合密着する全体的なＵ字形に折り曲げ立体化した後、
【００３８】
その合板の長手中心線上に沿って表側から倒立Ｖ字形の面取り部を切削加工すると一挙同時に、左右対称な一対の等辺山形又は不等辺山形に分割加工することを特徴とする。
【００３９】
更に、請求項１３では針葉樹合板の表面へライナー紙を接着する前の予備工程として、その合板の表面を平滑化する切削・研磨と、目止め塗料の塗装並びにその目止め塗膜に対するライナー紙貼り付け用接着剤の塗布とを順次行うことを特徴とする。
【発明の効果】
【００４０】
請求項１の上記構成によれば、その建物における内装壁の出隅形成用木質下地材は等辺山形又は不等辺山形（Ｌ字形）に折り曲げ立体化された１ピースの製品であるため、これを内装壁の出隅に設置使用するだけで、常に意匠性と耐久強度に富む出隅を安定良く得られるのであり、図２７に基いて説示した従来の煩らわしい現場作業を行う必要がない。
【００４１】
その場合、請求項２の構成を採用するならば、その等辺山形又は不等辺山形（Ｌ字形）をなす木質下地材自身の左右両端に、予じめ斜めの面取り部が列設されているため、現場での面取り作業を行う必要がなく、施工性の向上と仕上がり状態の安定性に役立つ。
【００４２】
請求項３の構成を採用するならば、木質下地材を取り付ける対象である柱の角部（出隅）に、たとえアットランダムな凹凸変化などが存在していても、その変化（不陸）を木質下地材における対応的な角部（入隅）の柱逃し凹溝によって、言わば自づと吸収することができ、柱に対する木質下地材の安定・確固な取付状態を常に得られる効果がある。
【００４３】
特に、請求項４や請求項５の構成を採用するならば、上記等辺山形又は不等辺山形（Ｌ字形）の木質下地材の角部に造形された面取り部を、その一定幅（面取り幅）が狭かったり又は広かったりしても、常にライナー紙の裏打ち状態に残存する倒立Ｖ字形（１つ山形）や倒立Ｗ字形（２つ山形）の面取り保形リブによって補強することができ、上記意匠性と耐久強度がますます向上する。
【００４４】
他方、請求項６の製造法によれば、請求項１や請求項２に記載の出隅形成用木質下地材を短時間での効率良く量産することができ、品質の安定した製品を得られる効果がある。
【００４５】
請求項７の製造法を採用するならば、その対応する請求項３に記載の木質下地材を効率良く製造することができ、量産効果の達成に役立つ。
【００４６】
又、請求項８や請求項９の製造法を採用するならば、その対応的な請求項４や請求項５に記載の木質下地材を、適当な一定幅（面取り幅）の面取り部が形成された製品として、容易に量産できる効果がある。
【００４７】
更に、請求項１０や請求項１１の製造法を採用するならば、請求項１に記載の木質下地材を一挙同時に２個取りすることができ、その量産効果がますます向上する。
【００４８】
請求項１２の製造法を採用するならば、請求項３に記載の木質下地材を一挙同時に２個取りできるのであり、その量産効果がやはり著しく向上する。
【００４９】
何れにしても、請求項１３の製造法を採用するならば、入手しやすく安価な針葉樹合板を使いつつも、上記意匠性と耐久強度に富む木質下地材を得られるのでり、実用性に優れる。
【図面の簡単な説明】
【００５０】
【図１】本発明の第１実施形態に係る木質下地材を示す斜面図である。
【図２】（イ）は図１の平面図であり、（ロ）はそれに対応する不等辺山形の木質下地材の平面図である。
【図３】（イ）は図２のＡ部分を抽出して示す拡大断面図であり、（ロ）はその変形実施形態を示す拡大断面図である。
【図４】上記第１実施形態の木質下地材を製造するための予備工程を示す説明図である。
【図５】上記木質下地材の製造工程を示す説明図である。
【図６】図５（Ｖ）のＡ部分を抽出して示す拡大断面図である。
【図７】本発明の第２実施形態に係る木質下地材の製造工程を示す図５に対応する説明図である。
【図８】図７（VI）のＡ部分を抽出して示す拡大断面図である。
【図９】図７（VI）から折り曲げ立体化した木質下地材の平面図である。
【図１０】本発明の第３実施形態に係る木質下地材の製造工程を示す図５に対応する説明図である。
【図１１】図１０（Ｖ）のＡ部分を抽出して示す拡大断面図である。
【図１２】図１０（Ｖ）から折り曲げ立体化した木質下地材の平面図である。
【図１３】本発明の第４実施形態に係る木質下地材の製造工程を示す図５に対応する説明図である。
【図１４】図１３（Ｖ）のＡ部分を抽出して示す拡大断面図である。
【図１５】図１３（Ｖ）から折り曲げ立体化した木質下地材の平面図である。
【図１６】第１実施形態に係る木質下地材の２個取り製造工程を示す図５に対応する説明図である。
【図１７】図１６（VI）から分割された木質下地材の平面図である。
【図１８】図１６と別異の２個取り製造工程を示す説明図である。
【図１９】図１８（VI）から分割された木質下地材の平面図である。
【図２０】第２実施形態に係る木質下地材の２個取り製造工程を示す図７に対応する説明図である。
【図２１】図２０（VII)から分割された木質下地材の平面図である。
【図２２】第１実施形態に係る木質下地材の施工例を示す斜面図である。
【図２３】図２２の平面図である。
【図２４】図２３と別異のクロス用下地材（石膏ボード）を使った施工例の平面図である。
【図２５】第２実施形態に係る木質下地材の施工例を示す平面図である。
【図２６】図２２と別異のクロス用下地材（針葉樹合板）を使った施工例の斜面図である。
【図２７】内装壁の出隅を形成する従来の各種施工例を示す説明図である。
【発明を実施するための形態】
【００５１】
以下、図面に基いて本発明の具体的構成を詳述すると、図１〜３はその第１実施形態に係る内装壁の出隅形成用木質下地材（Ｇ１）を示している。この木質下地材（Ｇ１）は木質基板になる適当な一定帯幅（Ｗ）（例えば約２００mm）の針葉樹合板（Ｐ）と、その表面の全体に貼り付けられたライナー紙（１０）とから成り、ほぼ直角に折り曲げ固定された等辺山形又は不等辺山形（Ｌ字形）の製品である。
【００５２】
上記木質基板の針葉樹合板（Ｐ）として、図例ではトドマツやカラマツ、スギ、その他の針葉樹単板（１１）（１２ａ）（１２ｂ）（１３ａ）（１３ｂ）から作成された５プライ（厚みが約９．５mmや約１２．５mm）のものを示している。その表裏両単板（１３ａ）（１３ｂ）と芯単板（１１）の繊維方向が合板（Ｐ）の長手方向に沿って延在しているに比し、両添え芯単板（１２ａ）（１２ｂ）の繊維方向は合板（Ｐ）の幅方向に沿って延在している。
【００５３】
その場合、針葉樹合板（Ｐ）を形作る単板（１１）（１２ａ）（１２ｂ）（１３ａ）（１３ｂ）の厚みに制約はなく、図３（イ）のような例えば約２．０mmの悉く同じ厚みを備えた５プライの単板（１１）（１２ａ）（１２ｂ）（１３ａ）（１３ｂ）から、厚み（Ｔ）が約９．５mmの針葉樹合板（Ｐ）に仕上げても良く、又図３（ロ）に示すような例えば約２．０mmの厚みを有する表裏両単板（１３ａ）（１３ｂ）と、約３．１７mmの厚みを有する芯単板（１１）並びにその添え芯単板（１２ａ）（１２ｂ）とから、厚み（Ｔ）が約１２．５mmの針葉樹合板（Ｐ）に仕上げても良い。
【００５４】
針葉樹は比較的安価で、安定良く入手できる利点がある反面、割れや抜け節などの欠点が多く存在し、上記出隅形成用木質下地材（Ｇ１）を得るための針葉樹合板（Ｐ）として使用するに当り、ヤニの染み出すおそれや表面平滑性に劣ることが、内装壁のクロス仕上げ状態に悪影響を及ぼし、意匠性を阻害するような場合には、予備となる図４（Ｉ）〜（IV）の工程順序に従って表面処理することが好ましい。
【００５５】
即ち、上記針葉樹合板（Ｐ）の表面（表単板）（１３ａ）に存在する各種の欠点（１４）を、先ずパテ剤の人為的又は機械的な充填によって、図４（Ｉ）のように目止め処理（パテ補修）しておく。
【００５６】
次いで、針葉樹合板（Ｐ）の表面（表単板）（１３ａ）を上方から表面切削機（図示省略）により、目標とする深さだけ切削加工すると共に、その表面切削機を兼用するか又は別な研磨機（図示省略）を用いて、表面研磨も行うことにより、高精度に平滑化する。
【００５７】
それから図４（II）のように、上記針葉樹合板（Ｐ）の表面（表単板）（１３ａ）へ上方からナチュラルリバースロールコーター（図示省略）を用いて、目止め塗料を塗装し、乾燥させた後、その目止め塗膜（１５）のサンディング処理を行い、ますます平滑化する。その目止め塗料としては酢酸ビニルエマルジョンを初め、アクリルウレタン樹脂系やその他の水性樹脂系又はＵＶ硬化樹脂系の塗料などを広く用いることができる。
【００５８】
そして、このような表面平滑に確保された上記針葉樹合板（Ｐ）の目止め塗膜（１５）へ、内装壁のクロス貼り付け面となるライナー紙（１０）をラミネートするため、引き続きナチュラルロールコーター（図示省略）を用いて、図４(III）のように上方から接着剤（１６）を塗布する。その接着剤（１６）としては、変性エチレン酢酸ビニルエマルジョンや水性ビニルウレタン、ＰＵＲホットメルト接着剤などを好適に用いることができる。
【００５９】
それから図４（IV）のように、上記針葉樹合板（Ｐ）の表面（表単板）（１３ａ）へ接着剤（１６）を介して、一定厚み（例えば約０．２mm）のライナー紙（１０）を貼り付け一体化すれば良い。ライナー紙（１０）はクロス用接着剤との相性が良く、強度もあるため、クロス仕上げになる内装壁の出隅形成用としてふさわしい。
【００６０】
尚、針葉樹合板（Ｐ）の表面（表単板）（１３ａ）が切削・研磨作用を受けて、高精度な平滑性を保つことができておれば、上記目止め塗料の塗装を省略して、その表面（表単板）（１３ａ）へ接着剤（１６）を塗布するだけにとどめてもさつしかえない。
【００６１】
何れにしても、上記のようなライナー紙（１０）が表面（表単板）（１３ａ）にラミネートされた針葉樹合板（Ｐ）を準備して、これからクロス仕上げになる内装壁の出隅形成用木質下地材（Ｇ１）を製造するに当っては、図５（Ｉ）〜（IV）の工程順序による切削加工を行って、最終的に図５（Ｖ）の展開状態から図１や図２（イ）（ロ）のような等辺山形又は不等辺山形（Ｌ字形）の製品へ、折り曲げ立体化すれば良い。
【００６２】
即ち、図４（IV）のようにライナー紙（１０）が貼り付けられている一定帯幅（Ｗ）の針葉樹合板（Ｐ）を、その裏面（裏単板）（１３ｂ）が上向く反転状態として、その左右両端を好ましくは表単板（１３ａ）とライナー紙（１０）との合計厚み相当分だけ、約４５度の斜めに切削加工することにより、図５（Ｉ）のような針葉樹合板（Ｐ）の長手方向に沿って平行に延在する一定幅（面取り幅）（Ｗ１）（例えばＣ３の斜辺が約４．２mm）のほぼ対称な面取り部（１７）（１７）を列設する。
【００６３】
次いで、上記針葉樹合板（Ｐ）の裏側から平カッター（１８）により、その長手方向に沿って、好ましくは上記一定帯幅（Ｗ）をほぼ二等分する長手中心線上に沿って、図５（II) のような一定の開口幅（Ｓ１）と深さ（Ｄ１）を有する１条の１次凹溝（捨て凹溝）（１９）を切削加工する。
【００６４】
この１次凹溝（１９）は、後工程のＶ字形折曲げ溝（２０）を切削する先端部のフラットなＶカッター（２１）に対して、過大な抵抗（負荷）が加わることを予防するためのものである。従って、その開口幅（Ｓ１）が後述する折曲げ溝（２０）の開口幅（Ｓ２）よりも狭く、その切り欠き深さ（Ｄ１）が同じく折曲げ溝（２０）の切り欠き深さ（Ｄ２）よりも浅いならば、上記１次凹溝（１９）の開口形状や大きさなどは自由に選定することができる。
【００６５】
上記１次凹溝（１９）の切削後、同じく針葉樹合板（Ｐ）の裏側から先端部のフラットなＶカッター（２１）により、やはり長手方向に沿って、好ましくはその一定帯幅（Ｗ）をほぼ二等分する長手中心線上に沿って、図５（III)のような表側のライナー紙（１０）までは到達しない一定の深さ（Ｄ２）と開口幅（Ｓ２）並びに開度（θ）を備えたＶ字形の折曲げ溝（２０）を切削加工する。
【００６６】
その折曲げ溝（２０）の切り欠き深さ（Ｄ２）は針葉樹合板（Ｐ）の上記厚み（Ｔ）よりも若干浅く、図例の５プライから成る針葉樹合板（Ｐ）の場合、例えば約８．３mm（合板の厚みが約９．５mmの場合）や約１１．３mm（合板の厚みが約１２．５mmの場合）である。又、その折曲げ溝（２０）のＶ字形をなす一定開度（θ）はほぼ直角、好ましくは約９２度に設定されている。同じく折曲げ溝（２０）の開口幅（Ｓ２）は上記１次凹溝（１９）の開口幅（Ｓ１）よりも著しく広大であり、その結果前工程での１次凹溝（１９）は後工程でのＶ字形折曲げ溝（２０）によって、消失されてしまうことになる。
【００６７】
上記第１実施形態に係る出隅形成用の木質下地材（Ｇ１）では、その角部（出隅）に一定幅（面取り幅）（Ｗ２）（例えばＣ１．５の斜辺が約２．１mm）の面取り部（２２）を確保するため、図５（III)のようなＶ字形の折曲げ溝（２０）を切削加工した後、その折曲げ溝（２０）のフラットな溝底部を左右対称なレ字形の２枚組合せカッター（２３）（２３）により、針葉樹合板（Ｐ）の裏側から図５（IV）や図６のような面取り部（２２）の一定幅（Ｗ２）と対応する開口幅（Ｓ３）の倒立Ｍ字形として、１つ山形（倒立Ｖ字形）の面取り保形リブ（２４）がライナー紙（１０）の裏打ち状態に残る特殊形状に切削加工している。
【００６８】
しかも、その１つ山形（倒立Ｖ字形）をなす面取り保形リブ（２４）の高さ（Ｈ）は、図５（Ｖ）のＡ部を拡大して示す図６から明白なように、上記針葉樹合板（Ｐ）における表単板（１３ａ）の厚み（ｔ）（先に例示した約２．０mm）と同等か、又はその厚み（ｔ）よりも低い寸法（例えば約０．７７mm）に関係設定されており、これによって針葉樹合板（Ｐ）の軟らかく塑性変形（圧縮）しやすいこととも相俟って、引き続く後工程での折り曲げ作用を円滑化しつつも、その角部（出隅）を隙間のない密着状態に保ち、形崩れしない耐久強度に富む面取り部（２２）を得られるようになっている。
【００６９】
そして、上記針葉樹合板（Ｐ）における折曲げ溝（２０）内の溝底部まで、図５（Ｖ）に示唆する如く接着剤（２５）を充分に塗布又は充填し、最後にその針葉樹合板（Ｐ）を図５（Ｖ）の展開状態から折曲げ溝（２０）が閉合密着するように折り曲げ立体化するのである。その接着剤（２５）としてはホットメルト系接着剤を用いることが好ましい。
【００７０】
そうすれば、その折り曲げ状態のプレス作用並びに上記接着剤（２５）とも相俟って、図１〜３のような等辺山形又は不等辺山形（Ｌ字形）に固定維持された１ピースの製品−内装壁の出隅形成用木質下地材（Ｇ１）を得られることになる。
【００７１】
その木質下地材（Ｇ１）の角部（出隅）は一定幅（Ｗ２）（先に例示した約２．１mm）の面取り部（２２）として延在しているため、ライナー紙（１０）の目切れ現象を生じるおそれはなく、又その面取り部（２２）は１つ山形（倒立Ｖ字形）の面取り保形リブ（２４）によって裏打ちされた補強状態にあるため、形崩れするおそれもない。延いては、クロス貼りされた内装壁の優れた外観状態（意匠性）を得られるのである。
【００７２】
上記出隅形成用木質下地材（Ｇ１）の施工例については追って説明するが、内装壁の出隅に立設されている柱（Ｍ）の角部（稜線）が直線でなく、欠けや丸味、形崩れなどの不陸になっていたり、その柱（Ｍ）自身が若干傾斜していたりすると、上記木質下地材（Ｇ１）の角部（入隅）をその柱（Ｍ）の角部（出隅）へ、正しく適応した安定・確固な取付状態に維持することが困難である。
【００７３】
図７〜９は本発明の第２実施形態として、このような問題の対策案になる好適な木質下地材（Ｇ２）を示している。この第２実施形態の木質下地材（Ｇ２）では、等辺山形又は不等辺山形（Ｌ字形）をなす角部の裏側に、閉合密着しないほぼ直角なＶ字形の柱逃し凹溝（８）が切り欠き列設されており、これによって上記柱（Ｍ）の不均整な角部（出隅）を吸収でき、その柱（Ｍ）に対する木質下地材（Ｇ２）の安定・確固な取付状態を得られるようになっている。
【００７４】
このような第２実施形態の木質下地材（Ｇ２）を製造する方法としては、上記第１実施形態の図５（Ｉ）と同じ図７（Ｉ）の面取り部（１７）（１７）を切削加工後、図７（II) の工程において上記針葉樹合板（Ｐ）の裏側から、次工程の平カッター（１８）よりもかなり広幅な平カッター（９）により、その合板（Ｐ）の長手方向に沿って、望ましくは上記一定帯幅（Ｗ）をほぼ二等分する長手中心線上に沿って、一定の開口幅（Ｓ４）（例えば約３５mm）と深さ（Ｄ３）（例えば約１．５mm）を有する１条の柱逃し凹溝（８）を切削加工する。
【００７５】
その柱逃し凹溝（８）の開口幅（Ｓ４）は上記第１実施形態の図５（II）と同じ図７（III)の後工程において切削加工される１次凹溝（捨て凹溝）（１９）の開口幅（Ｓ１）や、引き続く図５（III)と同じ図７（IV) の後工程において切削加工される折曲げ溝（２０）の開口幅（Ｓ２）よりも広く設定する。
【００７６】
又、同じく柱逃し凹溝（８）の切り欠き深さ（Ｄ３）は図７（VI）のＡ部を拡大して示す図８から明白なように、深くとも上記針葉樹合板（Ｐ）における裏単板（１３ｂ）の厚み（ｔ）（先に例示した約２．０mm）と同等の寸法であれば足り、好ましくは先に例示した約１．５mmである。
【００７７】
そして、その後は上記第１実施形態の図５（II)(III)(IV)と同じ図７（III)（IV）（Ｖ）の工程順序に従って、平カッター（１８）による１次凹溝（捨て凹溝）（１９）の切削加工と、先端部のフラットなＶカッター（２１）による折曲げ溝（２０）の切削加工とを順次に行えば良い。
【００７８】
その場合、木質下地材（Ｇ２）が等辺山形又は不等辺山形の何れであっても、上記１次凹溝（１９）の切削加工と折曲げ溝（２０）の切削加工とは、その前工程において切削加工されている上記柱逃し凹溝（８）の開口幅（Ｓ４）をほぼ二等分する長手中心線上に沿って行われる。
【００７９】
最後に、上記第１実施形態の図５（Ｖ）と同じ図７（VI）のような展開状態から、Ｖ字形の折曲げ溝（２０）が閉合密着するように折り曲げ立体化すれば、やはり折り曲げ状態のプレス作用並びに接着剤（２５）とも相俟って、図９のような等辺山形又は不等辺山形（Ｌ字形）の木質下地材（Ｇ２）を得られる。
【００８０】
その折曲げ溝（２０）の閉合密着する状態に折り曲げ固定するも、上記柱逃し凹溝（８）は等辺山形又は不等辺山形をなす角部の裏面（裏単板）（１３ｂ）に切り欠き列設されており、木質下地材（Ｇ２）の出隅とほぼ平行な入隅に介在しているため、図７（VI）の展開状態から図９のようなほぼ直角のＶ字形に折れ曲がるだけであり、上記折曲げ溝（２０）のように閉合密着することはない。
【００８１】
尚、上記第２実施形態の木質下地材（Ｇ２）におけるその他の構成と製造法は、第１実施形態のそれと実質的に同一であるため、その図７〜９に図１〜６との同一符号を記入するにとどめて、その詳細な説明を省略する。
【００８２】
次に、図１０〜１２は先の図１〜６と対応する本発明の第３実施形態を示しており、この木質下地材（Ｇ３）では角部（出隅）に上記第１実施形態よりも広い一定幅（Ｗ２）（例えばＣ３の斜辺が約４．２mm）の面取り部（２２）を形成するため、図５（Ｉ）〜（III)と同じ図１０（Ｉ）〜（III)の工程順序を経た後、図１０（IV) の工程においてＶ字形折曲げ溝（２０）のフラットな溝底部を、左右対称なレ字形の両サイドカッター（２６）（２６）とＶ字形のセンターカッター（２７）との３枚組合せカッターにより、やはり針葉樹合板（Ｐ）の裏側から上記面取り部（２２）の一定幅（Ｗ２）と対応する開口幅（Ｓ３）の擬似倒立Ｍ字形として、２つ山形（倒立Ｗ字形）の面取り保形リブ（２４）がライナー紙（１０）の裏打ち状態に残る特殊形状に切削加工している。
【００８３】
その２つ山形（倒立Ｗ字形）をなす面取り保形リブ（２４）の高さ（Ｈ）は、図１０（Ｖ）のＡ部を拡大して示す図１１から明白なように、これも上記第１実施形態に係る木質下地材（Ｇ１）の倒立Ｖ字形面取り保形リブ（２４）と同じく、上記針葉樹合板（Ｐ）における表単板（１３ａ）の厚み（ｔ）と同等以下の低い寸法（例えば約１．４５mm）に設定されており、図１０（Ｖ）の展開状態から図１２のような等辺山形又は不等辺山形（Ｌ字形）に折り曲げ立体化した時、そのプレス作用並びに接着剤（２５）とも相俟って、木質下地材（Ｇ３）の角部（出隅）を隙間のない密着状態に保ち、形崩れしない耐久強度に富む面取り部（２２）を得られるようになっている。
【００８４】
その木質下地材（Ｇ３）の角部（出隅）は一定幅（Ｗ２）（先に例示した約４．２mm）の面取り部（２２）として延在しているため、やはりライナー紙（１０）の目切れ現象を生じるおそれはなく、しかもその面取り部（２２）は２つ山形（倒立Ｗ字形）の面取り保形リブ（２４）によって裏打ち補強された状態にあるため、形崩れするおそれもない。やはり意匠性に優れたクロス仕上げ状態の内装壁を得られるのである。
【００８５】
このような第３実施形態に係る木質下地材（Ｇ３）におけるその他の構成と製造法は、上記第１実施形態のそれと実質的に同一であるため、その図１０〜１２に図１〜６との同一符号を記入するにとどめて、その詳細な説明を省略する。図７〜９に基き説示した第２実施形態に係る木質下地材（Ｇ２）の構成とその製造法は、第３実施形態の木質下地材（Ｇ３）でも採用することができる。
【００８６】
更に、図１３〜１５は先の同じく図１〜６と対応する本発明の第４実施形態を示しているが、この木質下地材（Ｇ４）では等辺山形又は不等辺山形（Ｌ字形）の角部（出隅）がほぼ９０度の角張った状態にあり、上記第１〜３実施形態のような面取り部（２２）を具備していない。
【００８７】
つまり、その第４実施形態に係る木質下地材（Ｇ４）の製造法では、上記第１実施形態の図５（Ｉ）〜（III)と同じ図１３（Ｉ）〜（III)の工程順序を経由した後、図１３（IV）の工程においてＶ字形折曲げ溝（２０）のフラットな溝底部を、先端が鋭利な文字通りのＶカッター（２８）によって、針葉樹合板（Ｐ）の裏側から表側のライナー紙（１０）を残す深さだけ切削加工して、ほぼ直角な開度（θ）（好ましくは先に例示した約９２度）の折曲げ溝（２０）を造形している。
【００８８】
尚、第４実施形態の木質下地材（Ｇ４）におけるその他の構成と製造法は、上記第１実施形態のそれと実質的に同一であるため、その図１３〜１５に図１〜６との同一符号を記入するにとどめて、その詳細な説明を省略する。図７〜９に基き説示した第２実施形態に係る木質下地材（Ｇ２）の構成とその製造法は、第４実施形態の木質下地材（Ｇ４）でも採用することができる。
【００８９】
本発明の上記第１〜４実施形態では木質下地材（Ｇ１）（Ｇ２）（Ｇ３）（Ｇ４）とその１個の製造法を各々説示したが、その何れも言わば２個取りの製造法を採用することができる。
【００９０】
この点、図１６は上記第１実施形態に係る木質下地材（Ｇ１）の２個取り製造工程を示しており、その製造に当っては図５に示した工程順序に準じて、２個取り上必要な一定帯幅（Ｗ）（例えば約４００mm）を有し、しかも表面全体にライナー紙（１０）が貼り付けられている針葉樹合板（Ｐ）の左右両端を、先ず約４５度の斜めに切削加工して、図１６（Ｉ）のような針葉樹合板（Ｐ）の長手方向に沿って平行に延在する一定幅（面取り幅）（Ｗ１）（例えばＣ３の斜辺が約４．２mm）のほぼ対称な面取り部（１７）（１７）を列設する。
【００９１】
次いで、上記針葉樹合板（Ｐ）の裏側から一対の平カッター（１８）（１８）により、その長手方向に沿って図１６（II）のような一定の開口幅（Ｓ１）と深さ（Ｄ１）を有する左右対称の１次凹溝（捨て凹溝）（１９）（１９）を平行に切削加工する。
【００９２】
その１次凹溝（１９）（１９）の切削加工後、同じく針葉樹合板（Ｐ）の裏側から先端部がフラットな一対のＶカッター（２１）（２１）により、やはり長手方向に沿って図１６（III)のような表側のライナー紙（１０）までは到達しない一定の深さ（Ｄ２）と開口幅（Ｓ２）並びに開度（θ）を備えた左右対称なほぼＶ字形の折曲げ溝（２０）（２０）を平行に切削加工する。
【００９３】
その場合、折曲げ溝（２０）（２０）の切り欠き深さ（Ｄ２）は針葉樹合板（Ｐ）の厚み（Ｔ）よりも若干浅く、又そのＶ字形の一定開度（θ）はほぼ直角、好ましくは約９２度に設定されている。更に、折曲げ溝（２０）（２０）の開口幅（Ｓ２）は上記１次凹溝（１９）（１９）の開口幅（Ｓ１）よりも著しく広大であり、その結果前工程での１次凹溝（１９）（１９）が後工程での折曲げ溝（２０）（２０）によって、消失されてしまうことになっている。
【００９４】
上記折曲げ溝（２０）（２０）の切削加工後、その両折曲げ溝（２０）（２０）の溝底部を針葉樹合板（Ｐ）の裏側から、図１６（IV）のような面取り部（２２）（２２）の一定幅（Ｗ２）と対応する開口幅（Ｓ３）の倒立Ｍ字形に切削加工する。その切削加工は図６に記載された２枚組合せカッター（２３）（２３）の一対を使用して、一挙同時に行う。又、上記折曲げ溝（２０）（２０）の溝底部は各々倒立Ｍ字形の切削加工により、図６と同様な１つ山形（倒立Ｖ字形）の面取り保形リブ（２４）（２４）がライナー紙（１０）の裏打ち状態に残る結果となって、形崩れしない耐久強度に富む面取り部（２２）（２２）を得られる。
【００９５】
そして、上記針葉樹合板（Ｐ）における両折曲げ溝（２０）（２０）内の溝底部まで、図１６（Ｖ）のように接着剤（２５）（２５）を充分に塗布又は充填した後、未だ展開状態にある針葉樹合板（Ｐ）をその左右対称な一対の折曲げ溝（２０）（２０）が何れも閉合密着するように、一挙同時に又は順次に裏側へ曲げ起すのである。
【００９６】
そうすれば、その折り曲げ状態のプレス作用並びに上記接着剤（好ましくはホットメルト系接着剤）（２５）（２５）とも相俟って、図１６（VI）のような全体のＵ字形に立体化するため、最後に切断用センターカッター（２９）と左右対称な面取り用の両サイドカッター（３０）（３０）との３枚組合せカッターを使って、上記針葉樹合板（Ｐ）のライナー紙（１０）が貼り付けられている表側から、その合板（Ｐ）の一定帯幅（Ｗ）を二等分する長手中心線（上記Ｕ字形の左右対称な長手中心線）（Ｏ−Ｏ）上に沿って分割加工するのである。
【００９７】
その際、左右対称な面取り用の両サイドカッター（３０）（３０）は全体的な倒立Ｖ字形の組立状態をなし、上記長手中心線（Ｏ−Ｏ）上をほぼ直角の倒立Ｖ字形に切削加工することにより、図５に示した左右両端の面取り部（１７）（１７）と同じ一定幅（面取り幅）（Ｗ１）の面取り部（１７）（１７）を一挙同時に形成することとなる。
【００９８】
又、このような両サイドカッター（３０）（３０）による面取り部（１７）（１７）の切削加工と一挙同時に、切断用のセンターカッター（２９）が上記長手中心線（Ｏ−Ｏ）上を分割する状態に切断して、図１７に示す左右対称な等辺山形又は不等辺山形（Ｌ字形）の木質下地材（Ｇ１）を２個取りすることができ、その量産効果の向上に役立つ。
【００９９】
次に、図１８（Ｉ）〜（VI）と図１９は上記図１６（Ｉ）〜（VI）と図１７に代る木質下地材（Ｇ１）の別な２個取り製造法を示しており、これでは図１６（Ｉ）〜（VI）の製造工程と異なって、その２個取り上必要な一定帯幅（Ｗ）を有する針葉樹合板（Ｐ）のライナー紙（１０）が貼り付けられている表側から、左右両端の切削加工による面取り部（１７）（１７）の列設のみならず、その一定帯幅（Ｗ）を二等分する長手中心線（Ｏ−Ｏ）上にも図１８（Ｉ）のようなほぼ直角の倒立Ｖ字形面取り部（３１）を図外のＶカッターによって切削加工している。
【０１００】
その後は図１６（II) 〜（VI）と同じ図１８（II) 〜（VI）の工程順序に従って、平カッター（１８）（１８）による１次凹溝（捨て凹溝）（１９）（１９）の切削加工や先端部のフラットなＶカッター（２１）（２１）による折曲げ溝（２０）（２０）の切削加工、その２枚組合せカッター（２３）（２３）による溝底部の特殊な倒立Ｍ字形の切削加工、折曲げ溝（２０）（２０）に対する接着剤（２５）（２５）の塗布又は充填、その折曲げ溝（２０）（２０）が閉合密着する全体的なＵ字形への折り曲げ立体化を行う。
【０１０１】
そして、その図１８（VI）のようなＵ字形の針葉樹合板（Ｐ）を左右対称に二等分する長手中心線（Ｏ−Ｏ）上を、最後に切断用センターカッター（３２）により切断加工して、図１７と同じ図１９のような左右対称の等辺山形又は不等辺山形（Ｌ字形）となる木質下地材（Ｇ１）を、一挙同時に２個取りするのである。
【０１０２】
その場合、上記Ｕ字形に折り曲げ立体化された針葉樹合板（Ｐ）を、その長手中心線（Ｏ−Ｏ）上に沿って切断すれば、ここに予じめ切削加工されていた倒立Ｖ字形の面取り部（３１）も、図１９のような左右対称の斜め約４５度に分割される結果となり、図１７と同じ一定幅（面取り幅）（Ｗ１）の面取り部（１７）（１７）を一挙同時に形成することができる。
【０１０３】
更に、図２０（Ｉ）〜（VII)と図２１は図７〜９の上記第２実施形態に係る木質下地材（Ｇ２）の２個取り製造法を示しており、これでは図７や図１６の製造工程に準じて、やはり２個取り上必要な一定帯幅（Ｗ）を有し、しかも表面全体にライナー紙（１０）が貼り付けられている針葉樹合板（Ｐ）を用いて、図２０（Ｉ）〜（VII)の工程順序から明白なように、その裏側から広幅な平カッター（９）（９）による左右対称な柱逃し凹溝（８）（８）の切削加工や別な平カッター（１８）（１８）による１次凹溝（捨て凹溝）（１９）（１９）の切削加工、先端部のフラットなＶカッター（２１）（２１）による折曲げ溝（２０）（２０）の切削加工、その２枚組合せカッター（２３）（２３）による溝底部の特殊な倒立Ｍ字形の切削加工、上記折曲げ溝（２０）（２０）に対する接着剤（２５）（２５）の塗布又は充填、その折曲げ溝（２０）（２０）だけが閉合密着することになる全体的なＵ字形への折り曲げ立体化を行う。
【０１０４】
そして、図２０（V11)のようなＵ字形の針葉樹合板（Ｐ）を左右対称に二等分する長手中心線（Ｏ−Ｏ）上を、図１６（VI）と同じ切断用センターカッター（２９）並びに面取り用の両サイドカッター（３０）（３０）から成る３枚組合せカッターによって、その合板（Ｐ）の表側から分断して、図２１のような左右対称の等辺山形又は不等辺山形（Ｌ字形）となる木質下地材（Ｇ２）を一挙同時に２個取りするのである。
【０１０５】
その際、図１７や図１９と対応する図２１の製品から看取できるように、各木質下地材（Ｇ２）の左右両端には一定幅（面取り幅）（Ｗ１）の面取り部（１７）（１７）が一挙同時に形成されることとなる。
【０１０６】
尚、図２１に示す柱逃し凹溝（８）（８）を備えた上記第２実施形態の木質下地材（Ｇ２）は、図２０（Ｉ）〜（VII)の製造法のみならず、これに代る図１８（Ｉ）〜（VI) の製造法を準用して、2 個取りすることも可能である。
【０１０７】
又、図１０〜１２に示した第３実施形態の木質下地材（Ｇ３）や図１３〜１５に示した第４実施形態の木質下地材（Ｇ４）についても、図１６（Ｉ）〜（VI）と図１７の製造法又は図１８（Ｉ）〜（VI）と図１９の製造法を準用することによって、２個取りすることができる。
【０１０８】
図２２〜２４は本発明の第１実施形態に係る出隅形成用木質下地材（Ｇ１）の施工例を示しているが、その現場施工に当っては作業者が建物の内装壁となる石膏ボード（３５）（３５）同士のほぼ直角に交叉する出隅（角部）へ、その現場合わせの適当な長さにカットした木質下地材（Ｇ１）を、垂立状態に設置して、その左右両端を隣接する石膏ボード（３５）（３５）の先端と突き合わすことにより、必要な広さの壁面（クロス貼り付け面）を形成する。
【０１０９】
その場合、木質下地材（Ｇ１）はその左右両端に一定幅（Ｗ１）の面取り部（１７）（１７）を具備した製品であるため、これと隣接する石膏ボード（３５）（３５）の先端が所謂スクエアエッジとして、面取り部を具備していない場合には、作業者が施工現場においてその石膏ボード（３５）（３５）の先端に図２２、２３のような面取り部（３６）（３６）を加工形成する。
【０１１０】
他方、木質下地材（Ｇ１）と隣接する石膏ボード（３５）（３５）の先端が所謂ベベルエッジとして、図２３のような面取り部（３６）（３６）を具備している場合には、これをそのまま使用すれば良い。（３７）（３７）はその石膏ボード（３５）（３５）の表面に接着されたライナー紙であり、クロスの貼り付け面になる。
【０１１１】
そして、何れにしても上記石膏ボード（３５）（３５）の先端に形成されている面取り部（３６）（３６）と、木質下地材（Ｇ１）の左右両端に具備されている面取り部（１７）（１７）とを、図２２〜２４のように正しく整列する状態に対応位置させて、その継ぎ目部（３８）（３８）をパテ補修により平滑化し、最後にその平滑な表面全体へ図外のクロスを貼り付ければ、クロス仕上げの内装壁を得られることになる。
【０１１２】
又、図２５は上記第２実施形態に係る出隅形成用木質下地材（Ｇ２）の施工例を示しており、その木質下地材（Ｇ２）の角部（入隅）にはほぼ直角なＶ字形の柱逃し凹溝（８）が切り欠き列設されているため、ここを柱（Ｍ）の角部（出隅）へフイットする状態に取り付けることにより、その柱（Ｍ）の角部（稜線）にアットランダムな凹凸変化などがあっても、その変化（不均整）を言わば吸収した安定・確固な取付状態を得られることになる。
【０１１３】
ライナー紙（３７）（３７））が接着された石膏ボード（３５）（３５）をクロス用下地材として、内装壁の施工例を説明したが、図２２と対応する図２６の別な施工例から明白なように、上記内装壁の出隅形成用木質下地材（Ｇ１）を、そのライナー紙（１０）と着色カラーなどの同じライナー紙（３７）（３７））が接着された同じ厚み（Ｔ）の針葉樹合板（Ｐ）（Ｐ）から成るクロス用下地材と組み合わせ使用することにより、クロス仕上げとなる内装壁の施工を行うことが好ましい。そうすれば、クロス貼りされた内装壁の意匠性が著しく向上する。
【０１１４】
尚、図２２〜２６に基いて、木質下地材（Ｇ１）（Ｇ２）の垂立状態に設置された（垂直の出隅を形成した）施工例を説明したが、天井と交叉する出隅（角部）などへ、水平の設置状態に施工されることもある。又、上記施工例は第１、２実施形態の木質下地材（Ｇ１）（Ｇ２）のみならず、第３、４実施形態の木質下地材（Ｇ３）（Ｇ４）についてもそのまま適用することができる。
【０１１５】
要するに、本発明の木質下地材（Ｇ１）（Ｇ２）（Ｇ３）（Ｇ４）は等辺山形又は不等辺山形（Ｌ字形）に折り曲げ立体化された１ピースの製品であり、特に等辺山形として折り曲げ立体化された製品であるならば、これによる内装壁の出隅形成上、その方向性の区別や制約なく設置使用することができることになり、著しく便利である。
【０１１６】
又、その木質下地材（Ｇ１）〜（Ｇ４）を使用することによって、図２７に基き説示した施工現場での煩らわしい出隅形成作業が不要となり、誰が作業しても、常に均等な仕上がり状態の出隅を得られる効果がある。
【０１１７】
殊更、上記第１〜３実施形態の木質下地材（Ｇ１）（Ｇ２）（Ｇ３）では、その角部（出隅）がＶ字形折曲げ溝（２０）の溝底部に残存する針葉樹合板（Ｐ）の倒立Ｖ字形や倒立Ｗ字形をなす面取り保形リブ（２４）によって、裏打ち補強された一定幅（Ｗ２）の面取り部（２２）になっているため、内装壁の意匠性と耐久強度に優れた出隅を形成することができ、その内装壁のクロスが割れるおそれはない。
【符号の説明】
【０１１８】
（８）・柱逃し凹溝
（９）（１８）・平カッター
（１０）（３７）・ライナー紙
（１１）（１２ａ）（１２ｂ）（１３ａ）（１３ｂ）・針葉樹単板
（１４）・欠点（パテ剤）
（１５）・目止め塗膜
（１６）（２５）・接着剤
（１７）（２２）（３１）・面取り部
（１９）・１次凹溝（捨て凹溝）
（２０）・折曲げ溝
（２１）（２８）・Ｖカッター
（２３）・２枚組合せカッター
（２４）・面取り保形リブ
（２６）・サイドカッター
（２７）・センターカッター
（２９）（３２）・切断用センターカッター
（３０）・面取り用両サイドカッター
（Ｇ１）（Ｇ２）（Ｇ３）（Ｇ４）・木質下地材
（Ｍ）・柱
（Ｐ）・針葉樹合板
（Ｗ）・合板の帯幅
（Ｗ１）（Ｗ２）・面取り幅
（Ｓ１）（Ｓ２）（Ｓ３）・開口幅
（Ｄ１）（Ｄ２）・切欠き深さ
（Ｈ）・面取り保形リブの高さ
（Ｔ）・合板の厚み
（ｔ）・表単板の厚み
（θ）・開度
（Ｏ−Ｏ）・長手中心線
【図１】
2014208959.tif 000003
【図２】
2014208959.tif 000004
【図３】
2014208959.tif 000005
【図４】
2014208959.tif 000006
【図５】
2014208959.tif 000007
【図６】
2014208959.tif 000008
【図７】
2014208959.tif 000009
【図８】
2014208959.tif 000010
【図９】
2014208959.tif 000011
【図１０】
2014208959.tif 000012
【図１１】
2014208959.tif 000013
【図１２】
2014208959.tif 000014
【図１３】
2014208959.tif 000015
【図１４】
2014208959.tif 000016
【図１５】
2014208959.tif 000017
【図１６】
2014208959.tif 000018
【図１７】
2014208959.tif 000019
【図１８】
2014208959.tif 000020
【図１９】
2014208959.tif 000021
【図２０】
2014208959.tif 000022
【図２１】
2014208959.tif 000023
【図２２】
2014208959.tif 000024
【図２３】
2014208959.tif 000025
【図２４】
2014208959.tif 000026
【図２５】
2014208959.tif 000027
【図２６】
2014208959.tif 000028
【図２７】
2014208959.tif 000029